(57)【要約】【課題】印刷データごとの印刷条件を、高い自由度で、かつ、少ない手間で設定できること。【解決手段】画像形成装置は、画像形成部２と、操作部３ａと、印刷条件設定部５１ｃとを備える。印刷条件設定部５１ｃは、印刷データに含まれる複数ページ分のページ画像の一部に対応する１つ以上のページを表す指定ページを１つ以上設定し、操作部３ａに対する操作に従って、前記指定ページごとの部分印刷条件を１つ以上設定する。印刷条件設定部５１ｃは、前記部分印刷条件を表す登録条件データＤ３を不揮発性の記憶部４に記憶させ、前記登録条件データＤ３に基づく印刷条件の選択候補を選択することによって前記部分印刷条件を設定可能である。【選択図】図１
2018144353.tif 000002
【特許請求の範囲】
【請求項１】
印刷データごとに設定される指定印刷条件に従って前記印刷データに含まれる複数ページ分のページ画像を印刷する画像形成部と、
操作を受け付ける操作部と、
前記操作部に対する操作に従って前記指定印刷条件を設定する印刷条件設定部と、を備え、
前記印刷条件設定部は、
前記操作部に対する操作に従って、前記印刷データに含まれる前記複数ページ分のページ画像の一部に対応する１つ以上のページを表す指定ページを１つ以上設定するページ指定部と、
前記操作部に対する操作に従って、前記指定ページごとの印刷条件である部分印刷条件を１つ以上設定することにより、前記指定印刷条件を設定する部分印刷条件設定部と、
前記部分印刷条件を表す登録条件データを不揮発性の記憶部に記憶させる条件登録部と、を含み、
前記部分印刷条件設定部は、
前記記憶部に記憶されている前記登録条件データに基づく印刷条件の選択候補の情報を表示部に表示させ、前記操作部に対する操作に従って前記選択候補を選択することによって前記部分印刷条件を設定する登録候補選択部を含む、画像形成装置。
【請求項２】
前記ページ指定部は、不連続の複数のページを含む前記指定ページの設定が可能である、請求項１に記載の画像形成装置。
【請求項３】
前記ページ指定部は、重複ページを含む複数の前記指定ページの設定が可能である、請求項１または請求項２に記載の画像形成装置。
【請求項４】
前記部分印刷条件設定部は、前記重複ページを含む複数の前記指定ページに対して相反する前記部分印刷条件を設定する操作が前記操作部に対して行われた場合に、前記重複ページの前記ページ画像を相反する前記部分印刷条件それぞれに従って個別に印刷することを指定する前記指定印刷条件を設定する、請求項３に記載の画像形成装置。
【請求項５】
前記部分印刷条件設定部は、前記登録候補選択部によって選択された前記選択候補を、前記操作部に対する操作に従って編集することによって前記部分印刷条件を設定する登録候補編集部をさらに含む、請求項１から請求項４のいずれか１項に記載の画像形成装置。
【請求項６】
前記印刷条件設定部は、前記部分印刷条件設定部によって設定されなかった印刷条件の項目について、予め設定された初期印刷条件を適用する、請求項１から請求項５のいずれか１項に記載の画像形成装置。
【請求項７】
前記部分印刷条件は、片面印刷および両面印刷の一方を指定する条件、印刷部数を指定する条件、シートに対する前記ページ画像の印刷の向きを指定する条件、前記シートのサイズを指定する条件、前記シートの余白を指定する条件、カラー印刷およびモノクロ印刷の一方を指定する条件および集約印刷の条件のうちの１つまたは複数を含む、請求項１から請求項６のいずれか１項に記載の画像形成装置。
【請求項８】
画像形成装置が印刷データごとに設定される指定印刷条件に従って前記印刷データに含まれる複数ページ分のページ画像を印刷する場合に、前記指定印刷条件を設定する印刷条件設定方法であって、
プロセッサーにより実行される工程として、
操作部に対する操作に従って、前記印刷データに含まれる前記複数ページ分のページ画像の一部に対応する１ページ以上の指定ページを１つ以上設定する工程と、
前記操作部に対する操作に従って、前記指定ページごとの印刷条件である部分印刷条件を１つ以上設定することにより、前記指定印刷条件を設定する工程と、
前記部分印刷条件を表す登録条件データを不揮発性の記憶部に記憶させる工程と、を含み、
前記部分印刷条件を設定する工程が、
前記記憶部に記憶されている前記登録条件データに基づく印刷条件の選択候補の情報を表示部に表示させる工程と、
前記操作部に対する操作に従って前記選択候補を選択することによって前記部分印刷条件を設定する工程と、を含む、印刷条件設定方法。
【発明の詳細な説明】
【技術分野】
【０００１】
本発明は、画像形成装置および印刷条件設定方法に関する。
【背景技術】
【０００２】
一般に、情報処理装置が、プリンタードライバープログラムを実行することにより、印刷条件設定処理を実行することが知られている。前記印刷条件設定処理は、操作部に対する操作に従って、画像形成装置に送信される印刷データについての印刷条件を設定する処理である。前記印刷条件は、例えばカラー印刷およびモノクロ印刷の一方を指定する条件などである。
【０００３】
また、前記情報処理装置が、前記印刷データにおけるページまたは章の単位ごとにカラー印刷モードおよびモノクロ印刷モードの一方を設定することが知られている（例えば、特許文献１参照）。
【先行技術文献】
【特許文献】
【０００４】
【特許文献１】特開２００４−１６４１０６号公報
【発明の概要】
【発明が解決しようとする課題】
【０００５】
ところで、前記印刷データごとに、ページ単位の前記印刷条件を設定することが可能である場合、前記印刷条件の設定の自由度が高まる。しかしながら、前記印刷データごとに、ページ単位または章単位の前記印刷条件を一から設定することは手間である。
【０００６】
本発明の目的は、印刷データごとの印刷条件を、高い自由度で、かつ、少ない手間で設定することができる画像形成装置および印刷条件設定方法を提供することにある。
【課題を解決するための手段】
【０００７】
本発明の一の局面に係る画像形成装置は、画像形成部と、操作部と、印刷条件設定部と、と備える。前記画像形成部は、印刷データごとに設定される指定印刷条件に従って前記印刷データに含まれる複数ページ分のページ画像を印刷する。前記操作部は、操作を受け付ける機器である。前記印刷条件設定部は、前記操作部に対する操作に従って前記指定印刷条件を設定する。前記印刷条件設定部は、ページ指定部と、部分印刷条件設定部と、条件登録部と、を含む。前記ページ指定部は、前記操作部に対する操作に従って、前記印刷データに含まれる前記複数ページ分のページ画像の一部に対応する１つ以上のページを表す指定ページを１つ以上設定する。前記部分印刷条件設定部は、前記操作部に対する操作に従って、前記指定ページごとの印刷条件である部分印刷条件を１つ以上設定することにより、前記指定印刷条件を設定する。前記条件登録部は、前記部分印刷条件を表す登録条件データを不揮発性の記憶部に記憶させる。前記部分印刷条件設定部は、登録候補選択部を含む。前記登録候補選択部は、前記記憶部に記憶されている前記登録条件データに基づく印刷条件の選択候補の情報を表示部に表示させ、前記操作部に対する操作に従って前記選択候補を選択することによって前記部分印刷条件を設定する。
【０００８】
本発明の他の局面に係る印刷条件設定方法は、画像形成装置が印刷データごとに設定される指定印刷条件に従って前記印刷データに含まれる複数ページ分のページ画像を印刷する場合に、前記指定印刷条件を設定する方法である。本方法は、プロセッサーにより実行される工程として、以下に示される３工程を含む。前記３工程の１つは、操作部に対する操作に従って、前記印刷データに含まれる前記複数ページ分のページ画像の一部に対応する１ページ以上の指定ページを１つ以上設定する工程である。前記３工程の他の１つは、前記操作部に対する操作に従って、前記指定ページごとの印刷条件である部分印刷条件を１つ以上設定することにより、前記指定印刷条件を設定する工程である。前記３工程の他の１つは、前記部分印刷条件を表す登録条件データを不揮発性の記憶部に記憶させる工程である。前記部分印刷条件を設定する工程が、以下の２工程を含む。前記２工程の１つは、前記記憶部に記憶されている前記登録条件データに基づく印刷条件の選択候補の情報を表示部に表示させる工程である。前記２工程の他の１つは、前記操作部に対する操作に従って前記選択候補を選択することによって前記部分印刷条件を設定する工程である。
【発明の効果】
【０００９】
本発明によれば、印刷データごとの印刷条件を、高い自由度で、かつ、少ない手間で設定することができる画像形成装置および印刷条件設定方法を提供することが可能になる。
【図面の簡単な説明】
【００１０】
【図１】図１は、実施形態に係る画像形成装置のブロック図である。
【図２】図２は、実施形態に係る画像形成装置における条件指定印刷処理の手順の一例を示すフローチャートである。
【図３】図３は、実施形態に係る画像形成装置における重複モード設定処理の手順の一例を示すフローチャートである。
【図４】図４は、実施形態に係る画像形成装置における印刷条件設定処理の手順の一例を示すフローチャートである。
【図５】図５は、実施形態に係る画像形成装置における相反条件設定処理の手順の一例を示すフローチャートである。
【図６】図６は、実施形態に係る画像形成装置における初期のページ指定画面の一例を示す図である。
【図７】図７は、実施形態に係る画像形成装置における印刷条件設定途中のページ指定画面の一例を示す図である。
【図８】図８は、実施形態に係る画像形成装置における印刷条件設定画面の一例を示す図である。
【図９】図９は、実施形態に係る画像形成装置における登録候補選択画面の一例を示す図である。
【発明を実施するための形態】
【００１１】
以下、添付図面を参照しながら、本発明の実施形態について説明する。なお、以下の実施形態は、本発明を具体化した一例であって、本発明の技術的範囲を限定するものではない。
【００１２】
実施形態に係る画像形成装置１０は、シート９２に画像を形成する印刷処理を実行可能な装置である。例えば、画像形成装置１０が、プリンター、複写機または複合機などであることが考えられる。
【００１３】
本実施形態において、画像形成装置１０は、ＬＡＮ（Local Area Network）などのネットワーク８０を通じて情報処理装置８と通信可能である。情報処理装置８は、画像形成装置１０と通信可能なコンピューターである。
【００１４】
［情報処理装置８の構成］
情報処理装置８は、ＣＰＵ（Central Processing Unit）８ａ、二次記憶部８ｂ、通信デバイス８ｃ、操作部８１および表示部８２などを備える。ＣＰＵ８ａは、二次記憶部８ｂに記憶されたプログラムを実行することによって各種のデータ処理を実行する。
【００１５】
二次記憶部８ｂは、コンピューター読み取り可能な不揮発性の記憶装置である。例えば、二次記憶部８ｂがハードディスクドライブまたはフラッシュメモリーなどであることが考えられる。
【００１６】
通信デバイス８ｃは、ネットワーク８０を通じた通信処理を実行する。ＣＰＵ８ａは、通信デバイス８ｃを通じて画像形成装置１０との間でデータの送受信が可能である。
【００１７】
操作部８１は、ユーザーの操作を受け付けるデバイスであり、キーボードおよびマウスなどを含む。表示部８２は、情報を表示する装置である。
【００１８】
［画像形成装置１０の構成］
図１に示されるように、画像形成装置１０は、画像読取部１、画像形成部２，ユーザーインターフェイスデバイス３、二次記憶部４、制御部５および通信デバイス６などを備える。
【００１９】
ユーザーインターフェイスデバイス３は、操作部３ａおよび表示部３ｂを含む。操作部３ａは、ユーザーの操作を受け付ける装置であり、例えばタッチパネルを含む。表示部３ｂは、情報を表示する装置であり、例えば、液晶パネルなどの表示パネルを含む。
【００２０】
通信デバイス６は、ネットワーク８０を通じて情報処理装置８との間で通信を行う通信インターフェイスデバイスである。制御部５は、情報処理装置８との間のデータの送信および受信の全てを通信デバイス６を通じて行う。
【００２１】
二次記憶部４は、コンピューター読み取り可能な不揮発性の記憶装置である。二次記憶部４は、プログラムおよび各種のデータを記憶可能である。例えば、ハードディスクドライブおよびＳＳＤ（Solid State Drive）の一方または両方の組合せが、二次記憶部４として採用される。
【００２２】
画像読取部１は、原稿９１の画像を読み取る読取処理を実行する装置である。画像読取部１は、光源１ａ、走査機構１ｂ、イメージセンサー１ｃおよびＡＦＥ（Analog Front End）１ｄなどを備える。
【００２３】
光源１ａは、原稿９１に対して光を出射する。走査機構１ｂは、光源１ａの光を原稿９１に対して走査させる。イメージセンサー１ｃは、原稿９１からの反射光を受光し、受光量の検出信号を画像信号として出力する。
【００２４】
ＡＦＥ（１ｄ）は、前記画像信号をデジタルの画像データへ変換する。以下の説明において、画像読取部１の前記読取処理によって原稿９１から読み取られた画像のことを読取画像と称する。また、前記読取画像を表す画像データ、即ち、画像読取部１が出力する画像データのことを読取画像データと称する。
【００２５】
画像形成部２は、電子写真方式またはインクジェット方式などの予め定められた方式で前記印刷処理を実行する装置である。例えば、画像形成部２は、前記読取画像データまたは情報処理装置８から受信した受信画像データに基づいて前記印刷処理を実行する。以下の説明において、前記印刷処理の対象となる前記読取画像データまたは前記受信画像データなどの画像データのことを印刷データと称する。
【００２６】
例えば、画像形成部２が電子写真方式で前記印刷処理を実行する装置である場合、画像形成部２は、シート搬送機構２ａ、感光体２ｂ、帯電装置２ｃ、レーザースキャニングユニット２ｄ、現像装置２ｅ、転写装置２ｆおよび定着装置２ｇなどを備える。
【００２７】
シート搬送機構２ａは、予め定められた経路に沿ってシート９２を搬送する。帯電装置２ｃは、感光体２ｂの表面を帯電させる。レーザースキャニングユニット２ｄは、帯電した感光体２ｂの表面に静電潜像を書き込む。
【００２８】
現像装置２ｅは、感光体２ｂ上の前記静電潜像をトナー像へ現像する。転写装置２ｆは、感光体２ｂ上の前記トナー像をシート９２に転写する。定着装置２ｇは、シート９２上の前記トナー像を加熱することにより、前記トナー像をシート９２に定着させる。
【００２９】
画像形成部２は、デフォルト印刷条件Ｄｐ０または指定印刷条件Ｄｐ１に従って、前記印刷処理を実行する。指定印刷条件Ｄｐ１は、前記印刷データごとに設定される印刷条件である。デフォルト印刷条件Ｄｐ０は、すべての前記印刷データに共通の印刷条件であり、指定印刷条件Ｄｐ１が設定されない場合に採用される。
【００３０】
前記印刷データが複数ページ分のページ画像のデータを含む場合、画像形成部２は、デフォルト印刷条件Ｄｐ０または指定印刷条件Ｄｐ１に従って、前記印刷データに含まれる前記複数ページ分のページ画像をシート９２に形成する。
【００３１】
デフォルト印刷条件Ｄｐ０のデータは、予め二次記憶部４に記憶されている。ユーザーが操作部３ａに対して予め定められた条件変更操作を行った場合に、ＵＩ制御部５１ｃは、操作部３ａに対する操作に従ってデフォルト印刷条件Ｄｐ０を変更する。
【００３２】
また、ユーザーが操作部３ａに対して予め定められた条件指定操作を行った場合に、ＵＩ制御部５１ｃは、操作部３ａに対する操作に従って指定印刷条件Ｄｐ１を設定する。指定印刷条件Ｄｐ１は、デフォルト印刷条件Ｄｐ０よりも優先して採用される。
【００３３】
例えば、デフォルト印刷条件Ｄｐ０は印刷面条件、部数条件、向き条件、シートサイズ条件、余白条件、カラー条件および集約条件などの複数の印刷条件を含む。指定印刷条件Ｄｐ１は、デフォルト印刷条件Ｄｐ０に含まれる複数の印刷条件の一部または全部を含む。
【００３４】
前記印刷面条件は、片面印刷および両面印刷の一方を指定する条件である。前記部数条件は、印刷部数を指定する条件である。前記向き条件は、シート９２に対する前記ページ画像の印刷の向きを指定する条件である。前記シートサイズ条件は、シート９２のサイズを指定する条件である。前記余白条件は、シート９２の余白を指定する条件である。前記カラー条件は、カラー印刷およびモノクロ印刷の一方を指定する条件である。前記集約条件は、集約印刷の条件である。なお、前記集約印刷は、シート９２の１ページに縮小された複数の前記ページ画像を配列して印刷することである。
【００３５】
以上に示されるように、デフォルト印刷条件Ｄｐ０が、ユーザーの意図に従って全ての前記印刷データに共通に設定される印刷条件であるのに対し、指定印刷条件Ｄｐ１は、ユーザーの意図に従って前記印刷データごとに設定される印刷条件である。
【００３６】
制御部５は、各種の演算、データ処理および画像形成装置１０が備える各種の電気機器の制御を実行する。制御部５は、画像読取部１、画像形成部２、ユーザーインターフェイスデバイス３、二次記憶部４および通信デバイス６との間でデータおよび制御信号の受け渡しが可能である。
【００３７】
制御部５は、画像処理に関する各種のジョブを制御する主制御部５１と、各種の画像処理を実行する画像処理部５２とを含む。主制御部５１は、さらにユーザーインターフェイスデバイス３および通信デバイス６を制御する。
【００３８】
例えば、制御部５は、二次記憶部４などに記憶されたプログラムを実行するＣＰＵ（Central Processing Unit）またはＤＳＰ（Digital Signal Processor）などのプロセッサーによって実現される。
【００３９】
主制御部５１は、読取制御部５１ａ、印刷制御部５１ｂおよびＵＩ（User Interface）制御部５１ｃなどを含む。
【００４０】
読取制御部５１ａは、画像読取部１を制御することによって読取ジョブを実行する。前記読取ジョブにおいて、読取制御部５１ａは、画像読取部１に前記読取処理を実行させ、さらに、前記読取画像データを画像形成装置１０の二次記憶部４または情報処理装置８の二次記憶部８ｂに記憶させる。
【００４１】
また、読取制御部５１ａおよび印刷制御部５１ｂは、画像読取部１および画像形成部２を制御することによってコピージョブを実行する。前記コピージョブにおいて、読取制御部５１ａが、画像読取部１に前記読取処理を実行させ、印刷制御部５１ｂが、前記読取画像に基づく前記印刷処理を画像形成部２に実行させる。
【００４２】
また、ＵＩ制御部５１ｃは、操作部３ａに対する操作に従って情報を入力し、表示部３ｂに各種の情報を表示させる。例えば、ＵＩ制御部５１ｃは、操作部３ａに対する操作に従って前記指定印刷条件を設定する。
【００４３】
画像処理部５２は、前記読取画像データについての加工処理またはデータ変換処理などの画像処理を実行する。例えば、画像処理部５２は、画像編集部５２ａおよびラスタライズ部５２ｂなどを含む。
【００４４】
画像編集部５２ａは、前記読取画像データまたは情報処理装置８から受信した受信画像データなどの画像データに対して各種の編集処理を実行する。例えば、画像編集部５２ａは、カラー画像データをモノクロ画像データへ変換する処理、複数ページ分の画像データを１ページ分の画像データへ集約する処理および画像の向きを回転させる処理などを実行可能である。
【００４５】
ラスタライズ部５２ｂは、前記読取画像データまたは前記受信画像データなどの画像データを印刷用のラスタデータへ変換する。
【００４６】
ところで、前記印刷データごとに、ページ単位の印刷条件を設定することが可能である場合、前記指定印刷条件の設定の自由度が高まる。しかしながら、前記印刷データごとに、ページ単位または章単位の前記指定印刷条件を一から設定することはユーザーにとって手間である。
【００４７】
一方、本実施形態において、ＵＩ制御部５１ｃおよび印刷制御部５１ｂが、後述する条件指定印刷処理を実行する。これにより、前記印刷データごとの前記指定印刷条件を、高い自由度で、かつ、少ない手間で設定することができる。
【００４８】
［条件指定印刷処理］
前記条件指定印刷処理において、ＵＩ制御部５１ｃは、操作部３ａに対する操作に従って、指定ページＤ１を１つ以上設定し、指定ページＤ１ごとに印刷条件を設定することが可能である（図６，７参照）。指定ページＤ１は、前記印刷データに含まれる複数ページ分のページ画像の一部に対応する１つ以上のページを表す。
【００４９】
以下、図２に示されるフローチャートを参照しつつ、前記条件指定印刷処理の手順の一例について説明する。
ＵＩ制御部５１ｃは、操作部３ａに対して前記印刷データを指定する操作が行われたことを検知し、さらに、操作部３ａに対して予め定められた印刷条件指定操作が行われたことを検知した場合に、前記条件指定印刷処理を開始する。予め指定された前記印刷データは、複数ページ分のページ画像のデータを含む。
【００５０】
以下の説明において、Ｓ１０１，Ｓ１０２，…は、前記条件指定印刷処理において実行される工程の識別符号を表す。
【００５１】
＜工程Ｓ１０１＞
まず、ＵＩ制御部５１ｃは、例えば図６，７に示されるようなページ指定画面ｇ１を表示部３ｂに表示させる。ページ指定画面ｇ１は、予め指定された前記印刷データに対応する指定ページＤ１に関する操作を受け付ける複数の操作アイコンを含む画面である。
【００５２】
図６，７に示される例において、ページ指定画面ｇ１は、ページ入力枠ｇ１１、印刷条件表示欄ｇ１２、追加アイコンｇ１３、印刷アイコンｇ１４、削除アイコンｇ１５および中止アイコンｇ１６などを含む。
【００５３】
ページ入力枠ｇ１１は、新たな指定ページＤ１の入力操作を受け付けるデータ入力枠である。図７に示されるように、ページ入力枠ｇ１１には、ページを表す数値が入力される。さらに、ページ入力枠ｇ１１に、複数の数値を区切る記号および複数の数値の間の数値を省略する記号の一方または両方が入力される場合がある。
【００５４】
図７に示されるように、印刷条件表示欄ｇ１２は、既に設定された指定ページＤ１およびその指定ページＤ１に対応する部分印刷条件Ｄ２のリストが表示される表示欄である。印刷条件表示欄ｇ１２には、指定ページＤ１ごとに選択アイコンｇ１２１および編集アイコンｇ１２２も含む。
【００５５】
選択アイコンｇ１２１は、既に設定された指定ページＤ１および部分印刷条件Ｄ２を選択する操作を受け付ける操作アイコンである。編集アイコンｇ１２２は、既に設定された部分印刷条件Ｄ２を編集する処理を開始する操作を受け付ける操作アイコンである。
【００５６】
追加アイコンｇ１３は、ページ入力枠ｇ１１に入力された新たな指定ページＤ１の追加を確定する操作を受け付ける操作アイコンである。以下の説明において、ページ入力枠ｇ１１に対する新たな指定ページＤ１を入力する操作と、追加アイコンｇ１３に対する操作とを併せて、指定ページ追加操作と称する。
【００５７】
印刷アイコンｇ１４は、予め指定された前記印刷データに基づく前記印刷処理を開始する操作を受け付ける操作アイコンである。
【００５８】
削除アイコンｇ１５は、選択アイコンｇ１２１によって選択された指定ページＤ１および部分印刷条件Ｄ２を削除する処理を開始する操作を受け付ける操作アイコンである。以下の説明において、選択アイコンｇ１２１に対する操作と、削除アイコンｇ１５に対する操作とを併せて、部分印刷条件削除操作と称する。
【００５９】
中止アイコンｇ１６は、前記条件指定印刷処理を中止する操作を受け付ける操作アイコンである。
【００６０】
＜工程Ｓ１０２＞
ページ指定画面ｇ１が表示部３ｂに表示された状態において、ＵＩ制御部５１ｃは、操作部３ａに対する操作を検知する処理を実行する。ＵＩ制御部５１ｃは、予め定められた複数の操作のいずれかを検知するまで、工程Ｓ１０２の処理を継続する。
【００６１】
ＵＩ制御部５１ｃは、前記指定ページ追加操作を検知した場合、処理を工程Ｓ１０３へ移行させる。また、ＵＩ制御部５１ｃは、編集アイコンｇ１２２に対する操作を検知した場合、処理を工程Ｓ１０５へ移行させる。また、ＵＩ制御部５１ｃは、前記部分印刷条件削除操作を検知した場合、処理を工程Ｓ１０６へ移行させる。また、ＵＩ制御部５１ｃは、印刷アイコンｇ１４に対する操作を検知した場合、処理を工程Ｓ１０７へ移行させる。
【００６２】
なお、前記指定ページ追加操作、編集アイコンｇ１２２に対する操作、前記部分印刷条件削除操作、中止アイコンｇ１６に対する操作および印刷アイコンｇ１４に対する操作は、それぞれ操作部３ａに対する操作の一例である。
【００６３】
＜工程Ｓ１０３＞
工程Ｓ１０３において、ＵＩ制御部５１ｃは、ページ入力枠ｇ１１に入力されたデータを指定ページＤ１として設定する。本実施形態において、ＵＩ制御部５１ｃは、不連続の複数のページを含む指定ページＤ１を設定することができる（図７参照）。
【００６４】
さらに、ＵＩ制御部５１ｃは、重複ページを含む複数の指定ページＤ１を設定することができる。例えば、ＵＩ制御部５１ｃは、"１，３，５−８"ページと"２，４−５"ページとを指定ページＤ１として設定することを許容する。この場合、"５"ページが前記重複ページである。
【００６５】
＜工程Ｓ１０４＞
さらに、ＵＩ制御部５１ｃは、工程Ｓ１０３の処理に続いて、後述する重複モード選択処理を実行する。前記重複モード選択処理は、工程Ｓ１０３において設定された複数の指定ページＤ１が前記重複ページを含む場合の動作モードである重複モードを予め定められた２つの候補から選択する処理である（図３参照）。
【００６６】
前記重複モード選択処理の詳細については後述する。ＵＩ制御部５１ｃは、工程Ｓ１０４の処理を実行した後、処理を工程Ｓ１０５へ移行させる。
【００６７】
＜工程Ｓ１０５＞
工程Ｓ１０５において、ＵＩ制御部５１ｃは、後述する印刷条件設定処理を実行する。前記印刷条件設定処理は、指定ページＤ１ごとの部分印刷条件Ｄ２を設定することによって指定印刷条件Ｄｐ１を設定する処理である（図４参照）。前記印刷条件設定処理の詳細については後述する。
【００６８】
ＵＩ制御部５１ｃは、前記印刷条件設定処理を実行した後、工程Ｓ１０１からの処理を繰り返す。
【００６９】
＜工程Ｓ１０６＞
工程Ｓ１０６において、ＵＩ制御部５１ｃは、選択アイコンｇ１２１によって選択された指定ページＤ１および部分印刷条件Ｄ２を削除する。その後、ＵＩ制御部５１ｃは、工程Ｓ１０１からの処理を繰り返す。
【００７０】
＜工程Ｓ１０７＞
工程Ｓ１０７において、ＵＩ制御部５１ｃは、工程Ｓ１０３〜Ｓ１０６の処理によって設定された１つ以上の部分印刷条件Ｄ２を含む最終の指定印刷条件Ｄｐ１を確定させる。
【００７１】
また、工程Ｓ１０７において、ＵＩ制御部５１ｃは、工程Ｓ１０３〜Ｓ１０６の処理によって設定されなかった印刷条件の項目について、デフォルト印刷条件Ｄｐ０を適用した指定印刷条件Ｄｐ１を設定する。
【００７２】
ＵＩ制御部５１ｃは、工程Ｓ１０７の処理を実行した後、処理を工程Ｓ１０８へ移行させる。
【００７３】
＜工程Ｓ１０８＞
工程Ｓ１０８において、印刷制御部５１ｂが、工程Ｓ１０５において設定された指定印刷条件Ｄｐ１に従った前記印刷処理を、画像形成部２に実行させる。これにより、画像形成部２は、指定印刷条件Ｄｐ１に従って、前記印刷データに含まれる前記複数ページ分のページ画像をシート９２に形成する。印刷制御部５１ｂは、工程Ｓ１０８の処理を実行した後、処理を工程Ｓ１０９へ移行させる。
【００７４】
＜工程Ｓ１０９＞
工程Ｓ１０９において、ＵＩ制御部５１ｃが、工程Ｓ１０５で設定された部分印刷条件Ｄ２を表すデータを登録条件データＤ３として二次記憶部４に記憶させる印刷条件登録処理を実行する（図１，９参照）。
【００７５】
例えば、ＵＩ制御部５１ｃは、操作部３ａに対する名称入力操作に従って、部分印刷条件Ｄ２ごとに名称Ｄ３２を設定し、その名称Ｄ３２と登録日時Ｄ３１と部分印刷条件Ｄ２に相当する登録部分印刷条件Ｄ３３とを登録条件データＤ３として二次記憶部４に記憶させる（図９参照）。
【００７６】
また、工程Ｓ１０９において、ＵＩ制御部５１ｃが、指定印刷条件Ｄｐ１に含まれる複数の部分印刷条件Ｄ２から選択された一部のみを登録条件データＤ３として二次記憶部４に記憶させることも考えられる。この場合、ＵＩ制御部５１ｃは、複数の部分印刷条件Ｄ２のうちの一部を、操作部３ａに対するデータ選択操作に従って選択する。
【００７７】
ＵＩ制御部５１ｃは、工程Ｓ１０９の処理の終了後、前記条件指定印刷処理を終了させる。
【００７８】
［重複モード選択処理］
次に、図３に示されるフローチャートを参照しつつ、工程Ｓ１０４において実行される前記重複モード選択処理の手順の一例について説明する。
【００７９】
以下の説明において、Ｓ２０１，Ｓ２０２，…は、前記重複モード選択処理において実行される工程の識別符号を表す。
【００８０】
＜工程Ｓ２０１＞
前記重複モード選択処理において、ＵＩ制御部５１ｃは、ページ重複判定処理を実行する。前記ページ重複判定処理は、図２の工程Ｓ１０３において新たに設定された指定ページＤ１と既に設定されている指定ページＤ１とが前記重複ページを含むか否かを判定する処理である。
【００８１】
ＵＩ制御部５１ｃは、前記重複ページが存在しない場合、前記重複モードを選択することなく前記重複モード選択処理を終了させる。一方、ＵＩ制御部５１ｃは、前記重複ページが存在する場合、工程Ｓ２０２の処理を実行する。
【００８２】
＜工程Ｓ２０２＞
工程Ｓ２０２において、ＵＩ制御部５１ｃは、操作部３ａに対する操作に従って、前記重複モードとして上書き設定モードおよび個別設定モードのいずれか一方を選択する。その後、ＵＩ制御部５１ｃは、前記重複モード選択処理を終了させる。
【００８３】
前記上書き設定モードは、先に設定された指定ページＤ１から前記重複ページを除外することにより、後に設定された指定ページＤ１の全てを生かすモードである。この場合、先に設定された指定ページＤ１と後に設定された指定ページＤ１との間でのページの重複が解消される。
【００８４】
一方、前記個別設定モードは、先に設定された指定ページＤ１および後に設定された指定ページＤ１の両方を、前記重複ページを含めて生かすモードである。この場合、前記重複ページは、先に設定された指定ページＤ１と後に設定された指定ページＤ１との両方に残る。
【００８５】
また、工程Ｓ２０２において、ＵＩ制御部５１ｃは、操作部３ａに対してやり直し操作が行われたことを検知した場合、前記重複モード選択処理を終了させ、図２の工程Ｓ１０１からの処理を繰り返す。この場合、工程Ｓ１０３で追加された指定ページＤ１は破棄される。
【００８６】
［印刷条件設定処理］
次に、図４に示されるフローチャートを参照しつつ、工程Ｓ１０５において実行される前記印刷条件設定処理の手順の一例について説明する。
【００８７】
以下の説明において、Ｓ３０１，Ｓ３０２，…は、前記印刷条件設定処理において実行される工程の識別符号を表す。
【００８８】
＜工程Ｓ３０１＞
まず、ＵＩ制御部５１ｃは、例えば図８に示されるような印刷条件設定画面ｇ２を表示部３ｂに表示させる。印刷条件設定画面ｇ２は、図２の工程Ｓ１０３で設定された指定ページＤ１に対応する部分印刷条件Ｄ２を設定する操作を受け付ける複数の操作アイコンを含む画面である。
【００８９】
図８に示される例において、印刷条件設定画面ｇ２は、複数の項目選択アイコンｇ２１、確定アイコンｇ２２、参照アイコン２３および中止アイコンｇ２４などを含む。
【００９０】
複数の項目選択アイコンｇ２１は、それぞれ設定対象とする印刷条件の項目を選択する操作を受け付ける操作アイコンである。複数の項目選択アイコンｇ２１は、それぞれ印刷条件の項目に対応する項目名Ｄｎ０、部分印刷条件Ｄ２およびデフォルト印刷条件Ｄｐ０を表示するアイコンでもある。
【００９１】
確定アイコンｇ２２は、指定ページＤ１に対応する部分印刷条件Ｄ２の設定を確定する操作を受け付ける操作アイコンである。中止アイコンｇ２４は、前記印刷条件設定処理を中止する操作を受け付ける操作アイコンである。
【００９２】
参照アイコン２３は、工程Ｓ３０３で実行される登録候補選択処理を開始する操作を受け付ける操作アイコンである。前記登録候補選択処理については後述する。
【００９３】
＜工程Ｓ３０２＞
印刷条件設定画面ｇ２が表示部３ｂに表示された状態において、ＵＩ制御部５１ｃは、操作部３ａに対する操作を検知する処理を実行する。ＵＩ制御部５１ｃは、予め定められた複数の操作のいずれかを検知するまで、工程Ｓ３０２の処理を継続する。
【００９４】
ＵＩ制御部５１ｃは、参照アイコン２３に対する操作を検知した場合、処理を工程Ｓ３０３へ移行させる。また、ＵＩ制御部５１ｃは、項目選択アイコンｇ２１に対する操作を検知した場合、処理を工程Ｓ３０４へ移行させる。また、ＵＩ制御部５１ｃは、中止アイコンｇ２４に対する操作を検知した場合、前記印刷条件設定処理を終了させる。
【００９５】
＜工程Ｓ３０３＞
工程Ｓ３０３において、ＵＩ制御部５１ｃは、前記登録候補選択処理を実行する。前記登録候補選択処理は、例えば図９に示されるような登録候補選択画面ｇ３を表示部３ｂに表示させ、操作部３ａに対する操作に従って選択候補Ｄｓ０を選択することによって部分印刷条件Ｄ２を設定する処理である。
【００９６】
登録候補選択画面ｇ３は、候補選択アイコンｇ３１、確定アイコンｇ３２および中止アイコンｇ３３などを含む。候補選択アイコンｇ３１は、二次記憶部４に記憶されている登録条件データＤ３に基づく印刷条件の選択候補Ｄｓ０を選択する操作を受け付ける操作アイコンである。
【００９７】
確定アイコンｇ３２は、選択候補Ｄｓ０の選択を確定する操作を受け付ける操作アイコンである。中止アイコンｇ３３は、前記登録候補選択処理を中止する操作を受け付ける操作アイコンである。
【００９８】
ＵＩ制御部５１ｃは、候補選択アイコンｇ３１に対する操作を検知した場合、操作された候補選択アイコンｇ３１に対応する選択候補Ｄｓ０を部分印刷条件Ｄ２として設定する。これにより、複数の項目に亘る部分印刷条件Ｄ２を簡易な操作によって一括して設定することができる。従って、１つ以上の部分印刷条件Ｄ２を印刷条件の項目ごとに一から設定する手間が省略される。
【００９９】
ＵＩ制御部５１ｃは、前記登録候補選択処理を実行した後、処理を工程Ｓ３０５へ移行させる。
【０１００】
＜工程Ｓ３０４＞
工程Ｓ３０４において、ＵＩ制御部５１ｃは、操作された項目選択アイコンｇ２１に対応する項目について、操作部３ａに対する操作に従って部分印刷条件Ｄ２を設定する。
【０１０１】
工程Ｓ３０４の処理が実行される前に、登録条件データＤ３に基づく選択候補Ｄｓ０の１つが部分印刷条件Ｄ２として設定されている場合がある。この場合、工程Ｓ３０４の処理は、前記登録候補選択処理によって選択された選択候補Ｄｓ０を、操作部３ａに対する操作に従って編集することによって部分印刷条件Ｄ２を設定する処理である。
【０１０２】
ＵＩ制御部５１ｃは、工程Ｓ３０４の処理を実行した後、処理を工程Ｓ３０５へ移行させる。
【０１０３】
＜工程Ｓ３０５＞
工程Ｓ３０５において、ＵＩ制御部５１ｃは、後述する相反条件設定処理を実行する（図５参照）。ＵＩ制御部５１ｃは、前記相反条件設定処理を実行した後、工程Ｓ３０１からの処理を繰り返す。
【０１０４】
前記相反条件設定処理は、前記重複ページを含む複数の指定ページＤ１に対して相反する部分印刷条件Ｄ２が設定された場合に前記重複ページについての印刷条件を調整する処理である。前記相反条件設定処理の詳細については後述する。
【０１０５】
＜工程Ｓ３０６＞
工程Ｓ３０６において、ＵＩ制御部５１ｃは、工程Ｓ３０３〜Ｓ３０５の処理によって設定された部分印刷条件Ｄ２を対応する指定ページＤ１とともに指定印刷条件Ｄｐ１の一部として確定させる。ＵＩ制御部５１ｃは、工程Ｓ３０６の処理を実行した後、前記印刷条件設定処理を終了させる。
【０１０６】
例えば、ＵＩ制御部５１ｃは、部分印刷条件Ｄ２および指定ページＤ１を二次記憶部４に記憶させることにより、部分印刷条件Ｄ２および指定ページＤ１を指定印刷条件Ｄｐ１の一部として確定させる。
【０１０７】
［相反条件設定処理］
次に、図５に示されるフローチャートを参照しつつ、図４の工程Ｓ３０５において実行される前記相反条件設定処理の手順の一例について説明する。
【０１０８】
以下の説明において、Ｓ４０１，Ｓ４０２，…は、前記相反条件設定処理において実行される工程の識別符号を表す。
【０１０９】
＜工程Ｓ４０１＞
前記相反条件設定処理において、ＵＩ制御部５１ｃは、前記重複ページを含む複数の指定ページＤ１に対して相反する部分印刷条件Ｄ２が設定されているか否かを判定する。
【０１１０】
相反する部分印刷条件Ｄ２は、印刷条件の同じ項目についての異なる設定条件などのように、両立し得ない印刷条件である。なお、複数の指定ページＤ１が前記重複ページを含まない場合、ＵＩ制御部５１ｃは、相反する部分印刷条件Ｄ２が設定されていないと判定する。
【０１１１】
ＵＩ制御部５１ｃは、相反する部分印刷条件Ｄ２が設定されていないと判定した場合、そのまま前記相反条件設定処理を終了させる。
【０１１２】
一方、ＵＩ制御部５１ｃは、相反する部分印刷条件Ｄ２が設定されていると判定した場合、前記重複モードが前記上書きモードであれば処理を工程Ｓ４０２へ移行させ、前記重複モードが前記個別モードであれば処理を工程Ｓ４０３へ移行させる。
【０１１３】
即ち、工程Ｓ３０３または工程Ｓ３０４において、前記重複ページを含む複数の指定ページＤ１に対して相反する部分印刷条件Ｄ２を設定する操作が操作部３ａに対して行われた場合に、ＵＩ制御部５１ｃは、工程Ｓ４０２または工程Ｓ４０３の処理を実行する。
【０１１４】
なお、複数の指定ページＤ１が前記重複ページを含み、かつ、前記重複ページに対して相反する部分印刷条件Ｄ２が設定されていない場合が考えられる。この場合、図２の工程Ｓ１０７において、前記重複ページについては、先に設定された指定ページＤ１および後に設定された指定ページＤ１の両方が適用された前記印刷処理が実行される。
【０１１５】
＜工程Ｓ４０２＞
工程Ｓ４０２において、ＵＩ制御部５１ｃは、先に設定された指定ページＤ１から前記重複ページを除外する。これにより、後に設定された指定ページＤ１の全てに対する部分印刷条件Ｄ２が有効となり、先に設定された指定ページＤ１における前記重複ページについての部分印刷条件Ｄ２が無効となる。
【０１１６】
＜工程Ｓ４０３＞
工程Ｓ４０３において、ＵＩ制御部５１ｃは、前記重複ページの前記ページ画像を相反する部分印刷条件Ｄ２それぞれに従って個別に印刷することを指定する指定印刷条件Ｄｐ１を設定する。
【０１１７】
工程Ｓ４０３の処理は、前記重複ページを含む複数の指定ページＤ１に対して相反する部分印刷条件Ｄ２を設定する操作が操作部３ａに対して行われた場合に実行される。
【０１１８】
工程Ｓ４０３の処理が行われた後の工程Ｓ１０７において、前記重複ページについては、先に設定された指定ページＤ１に対して設定された部分印刷条件Ｄ２に従った前記印刷処理と、後に設定された指定ページＤ１に対して設定された部分印刷条件Ｄ２に従った前記印刷処理との両方が実行される。
【０１１９】
例えば、前記重複ページの前記ページ画像がカラー画像を含み、前記重複ページについて保管用のカラーの印刷物と、配布用のモノクロの印刷物とが必要な場合などに、工程Ｓ４０３の処理は特に有効である。
【０１２０】
ＵＩ制御部５１ｃは、工程Ｓ４０２または工程Ｓ４０３の処理が終了した後、前記相反条件設定処理を終了させる。
【０１２１】
画像形成装置１０において、工程Ｓ１０３〜Ｓ１０７の処理を実行するＵＩ制御部５１ｃは、操作部３ａに対する操作に従って指定印刷条件Ｄｐ１を設定する印刷条件設定部の一例である。
【０１２２】
画像形成装置１０において、工程Ｓ１０３の処理は、ＵＩ制御部５１ｃのページ指定部５１ｄによって実行される。工程Ｓ１０３の処理は、操作部３ａに対する操作に従って、指定ページＤ１を１つ以上設定する処理の一例である。
【０１２３】
また、工程Ｓ１０５および工程Ｓ１０７の処理は、ＵＩ制御部５１ｃの部分印刷条件設定部５１ｅによって実行される。工程Ｓ１０５および工程Ｓ１０７の処理は、操作部３ａに対する操作に従って、指定ページＤ１ごとの部分印刷条件Ｄ２を１つ以上設定することにより、指定印刷条件Ｄｐ１を設定する処理の一例である。
【０１２４】
また、工程Ｓ１０９の処理は、ＵＩ制御部５１ｃの条件登録部５１ｆによって実行される。工程Ｓ１０９の処理は、部分印刷条件Ｄ２を表す登録条件データＤ３を不揮発性の二次記憶部４に記憶させる処理の一例である。
【０１２５】
また、工程Ｓ３０３の処理は、ＵＩ制御部５１ｃの登録候補選択部５１ｇによって実行される。工程Ｓ３０３の処理は、登録条件データＤ３に基づく印刷条件の選択候補Ｄｓ０の情報を表示部３ｂに表示させ、操作部３ａ対する操作に従って選択候補Ｄｓ０を選択することによって部分印刷条件Ｄ２を設定する処理の一例である。
【０１２６】
また、工程Ｓ３０４の処理は、ＵＩ制御部５１ｃの個別条件設定部５１ｈによって実行される。工程Ｓ３０３の処理が実行された後に工程Ｓ３０４の処理を実行する個別条件設定部５１ｈは、選択された選択候補Ｄｓ０を、操作部３ａに対する操作に従って編集することによって部分印刷条件Ｄ２を設定する登録候補編集部の一例である。
【０１２７】
画像形成装置１０が採用されれば、指定ページＤ１ごとに部分印刷条件Ｄ２を設定することができる（Ｓ１０３〜Ｓ１０５）。さらに、操作部３ａに対する操作に従って選択候補Ｄｓ０を選択することによって部分印刷条件Ｄ２を設定することができる（工程Ｓ３０３）。
【０１２８】
従って、画像形成装置１０が採用されれば、前記印刷データごとの指定印刷条件Ｄｐ１を、高い自由度で、かつ、少ない手間で設定することができる。
【０１２９】
また、ＵＩ制御部５１ｃは、前記重複ページを含む複数の指定ページＤ１を設定することが可能である。そのため、より高い自由度で指定印刷条件Ｄｐ１を設定することができる。
【０１３０】
さらに、ＵＩ制御部５１ｃは、前記重複ページの前記ページ画像を相反する部分印刷条件Ｄ２それぞれに従って個別に印刷することを指定する指定印刷条件Ｄｐ１を設定することができる（Ｓ４０３）。このことも、指定印刷条件Ｄｐ１の設定の自由度を高めることに寄与する。
【０１３１】
また、ＵＩ制御部５１ｃは、工程Ｓ３０４において、工程Ｓ３０３の処理によって選択された選択候補Ｄｓ０を編集することによって部分印刷条件Ｄ２を設定することができる。このことも、指定印刷条件Ｄｐ１の設定の自由度および省力化に寄与する。
【０１３２】
[第１応用例]
以上に示された前記条件指定印刷処理における工程Ｓ１０８以外の処理が、情報処理装置８のＣＰＵ８ａによって実行されることも考えられる。この場合、ＣＰＵ８ａは、二次記憶部８ｂに記憶されたドライバープログラムを実行することにより、前記条件指定印刷処理における工程Ｓ１０８以外の処理を実現する。
【０１３３】
本応用例において、ＣＰＵ８ａは、情報処理装置８から画像形成装置１０へ送信される前記印刷データについての指定印刷条件Ｄｐ１を設定する。さらに、ＣＰＵ８ａは、前記印刷データとともに指定印刷条件Ｄｐ１を画像形成装置１０へ送信する。
【０１３４】
そして、本応用例における画像形成装置１０は、情報処理装置８から受信した前記印刷データに基づく前記印刷処理を、情報処理装置８から受信した指定印刷条件Ｄｐ１に従って実行する。
【０１３５】
[第２応用例]
図２の工程Ｓ１０４の処理、即ち、図３の工程Ｓ２０１，Ｓ２０２の処理が、図５の工程Ｓ４０１の前に実行されることも考えられる。本応用例において、ＵＩ制御部５１ｃは、前記重複ページが存在しない場合、前記相反条件設定処理を終了させる。
【０１３６】
本応用例の工程Ｓ２０２において、ＵＩ制御部５１ｃは、前記上書き設定モードおよび前記個別設定モードのいずれか一方を選択した場合、図５の工程Ｓ４０１以降の処理を実行する。
【０１３７】
なお、本応用例の工程Ｓ２０２において、ＵＩ制御部５１ｃは、操作部３ａに対して前記やり直し操作が行われたことを検知した場合、前記相反条件設定処理を終了させ、図４の工程Ｓ３０１からの処理を繰り返すことが考えられる。
【０１３８】
[第３応用例]
図３の工程Ｓ２０１の処理が、図５の工程Ｓ４０１の前に実行されることも考えられる。本応用例において、ＵＩ制御部５１ｃは、前記重複ページが存在しない場合、前記相反条件設定処理を終了させる。
【０１３９】
本応用例の工程Ｓ２０１において、ＵＩ制御部５１ｃは、前記重複ページが存在する場合、工程Ｓ４０１の処理を実行する。さらに、ＵＩ制御部５１ｃは、相反する部分印刷条件Ｄ２が設定されていると判定した場合に、工程Ｓ２０２の処理を実行した上で、工程Ｓ４０２または工程Ｓ４０３の処理を実行する。
【０１４０】
なお、本応用例の工程Ｓ２０２において、ＵＩ制御部５１ｃは、操作部３ａに対して前記やり直し操作が行われたことを検知した場合、前記相反条件設定処理を終了させ、図４の工程Ｓ３０１からの処理を繰り返すことが考えられる。
【符号の説明】
【０１４１】
１        ：画像読取部
１ａ      ：光源
１ｂ      ：走査機構
１ｃ      ：イメージセンサー
２        ：画像形成部
２ａ      ：シート搬送機構
２ｂ      ：感光体
２ｃ      ：帯電装置
２ｄ      ：レーザースキャニングユニット
２ｅ      ：現像装置
２ｆ      ：転写装置
２ｇ      ：定着装置
３        ：ユーザーインターフェイスデバイス
３ａ      ：操作部
３ｂ      ：表示部
４        ：二次記憶部
５        ：制御部
６        ：通信デバイス
８        ：情報処理装置
８ａ      ：ＣＰＵ
８ｂ      ：二次記憶部
８ｃ      ：通信デバイス
１０      ：画像形成装置
２３      ：参照アイコン
５１      ：主制御部
５１ａ    ：読取制御部
５１ｂ    ：印刷制御部
５１ｃ    ：ＵＩ制御部（印刷条件設定部）
５１ｄ    ：ページ指定部
５１ｅ    ：部分印刷条件設定部
５１ｆ    ：条件登録部
５１ｇ    ：登録候補選択部
５１ｈ    ：個別条件設定部
５２      ：画像処理部
５２ａ    ：画像編集部
５２ｂ    ：ラスタライズ部
８０      ：ネットワーク
８１      ：操作部
８２      ：表示部
９１      ：原稿
９２      ：シート
Ｄ１      ：指定ページ
Ｄ２      ：部分印刷条件
Ｄ３      ：登録条件データ
Ｄ３１    ：登録日時
Ｄ３２    ：名称
Ｄ３３    ：登録部分印刷条件
Ｄｎ０    ：項目名
Ｄｐ０    ：デフォルト印刷条件
Ｄｐ１    ：指定印刷条件
Ｄｓ０    ：選択候補
ｇ１      ：ページ指定画面
ｇ１１    ：ページ入力枠
ｇ１２    ：印刷条件表示欄
ｇ１２１  ：選択アイコン
ｇ１２２  ：編集アイコン
ｇ１３    ：追加アイコン
ｇ１４    ：印刷アイコン
ｇ１５    ：削除アイコン
ｇ１６    ：中止アイコン
ｇ２      ：印刷条件設定画面
ｇ２１    ：項目選択アイコン
ｇ２２    ：確定アイコン
ｇ２４    ：中止アイコン
ｇ３      ：登録候補選択画面
ｇ３１    ：候補選択アイコン
ｇ３２    ：確定アイコン
ｇ３３    ：中止アイコン
【図１】
2018144353.tif 000003
【図２】
2018144353.tif 000004
【図３】
2018144353.tif 000005
【図４】
2018144353.tif 000006
【図５】
2018144353.tif 000007
【図６】
2018144353.tif 000008
【図７】
2018144353.tif 000009
【図８】
2018144353.tif 000010
【図９】
2018144353.tif 000011